(57)【要約】【課題】情報処理装置を用いてアクセスポイントの設定処理を行う場合には、マニュアル等に記載されたユーザ名、パスワード、ＳＳＩＤ、ＷＥＰキー等を調べて、その値を所定の設定ソフトウェアを起動させて入力しなければならず、設定値の入力に時間が掛かったり、また設定値の入力を間違えてしまい無線ＬＡＮ接続できないと言った課題が生じている。パソコンからアクセスポイントのメモリやレジスタの情報を見て更新するの処理はある程度の専門知識が無いと更新できない。【解決手段】アクセスポイントと言った通信制御装置とパーソナルコンピュータと言った情報処理装置をＬＡＮ接続する際に必要な通信設定を利用者の負担を軽減し、かつ容易に設定可能な通信データ設定制御方法及び装置を提供する。【選択図】      図１
2004234286.tif 000002
【特許請求の範囲】
【請求項１】
通信制御装置との通信接続を確立するために必要な相手機器を制限しない初期通信設定情報を予め記憶する記憶手段と、
通信設定情報の設定処理の起動指示を受け、前記記憶手段に記憶された初期通信設定情報に基づき前記通信制御装置との間で通信接続を確立する通信制御手段と、
特定の相手機器との通信接続を確立するための新たな通信設定情報を設定する設定手段と、
前記記憶手段に記憶した初期通信設定情報を前記設定手段で設定した更新通信設定情報に置き換える制御手段と、
前記記憶手段に記憶した更新通信設定情報を前記通信制御装置に送信する送信手段と
を具備したことを特徴とする情報処理装置。
【請求項２】
前記設定手段は、ユーザ名、パスワード、ネットワークグループ名、ネットワーク暗号化キーの各値を設定するための設定画面を表示装置に表示し、
前記設定画面の各ユーザ名、パスワード、ネットワークグループ名、ネットワーク暗号化キーの各項目の値を設定入力するための入力手段と
を具備したことを特徴とする前記請求項１記載の情報処理装置。
【請求項３】
前記入力手段は、各項目の値に必要な文字列長に応じてランダムに生成された文字列を設定入力する
ことを特徴とする請求項２記載の情報処理装置。
【請求項４】
前記入力手段は、前記通信確立した通信制御装置に割り当てられた固有の識別情報を各項目の値として設定入力する
ことを特徴とする請求項２記載の情報処理装置。
【請求項５】
情報処理装置と通信制御装置との通信接続を確立するために行われる通信設定情報の設定処理の起動指示を受け、情報処理装置の記憶手段に予め記憶した相手機器を制限しない初期通信設定情報に基づき前記通信制御装置との間で通信接続を確立する手順と、
特定の相手機器との通信接続を確立するための新たな通信設定情報を設定する設定手順と、
前記記憶手段に記憶した初期通信設定情報を前記設定手順で設定した更新通信設定情報に置き換える制御手順と、
前記記憶手段に記憶した更新通信設定情報を前記通信制御装置に送信する送信手順と
を具備したことを特徴とする通信データ設定制御方法。
【請求項６】
前記設定手順は、ユーザ名、パスワード、ネットワークグループ名、ネットワーク暗号化キーの各値を設定するための設定画面を表示装置に表示し、
前記設定画面の各ユーザ名、パスワード、ネットワークグループ名、ネットワーク暗号化キーの各項目の値を設定入力するための入力手順と
を具備したことを特徴とする前記請求項５記載の通信データ設定制御方法。
【請求項７】
前記入力手順は、各項目の値に必要な文字列長に応じてランダムに生成された文字列を設定入力する
ことを特徴とする請求項６記載の通信データ設定制御方法。
【請求項８】
前記入力手順は、前記通信確立した通信制御装置に割り当てられた固有の識別情報を各項目の値として設定入力する
ことを特徴とする請求項２記載の通信データ設定制御方法。
【請求項９】
情報処理装置と通信制御装置との間で通信接続する情報処理システムであって、
情報処理装置は、
前記通信制御装置との通信接続を確立するために必要な相手機器を制限しない初期通信設定情報を予め記憶する記憶手段と、
通信設定情報の設定処理の起動指示を受け、前記記憶手段に記憶された初期通信設定情報に基づき前記通信制御装置との間で通信接続を確立する通信制御手段と、
特定の相手機器との通信接続を確立するための新たな通信設定情報を設定するための設定手段と、
前記記憶手段に記憶した通信設定情報を前記設定手段で設定した更新通信設定情報に置き換える制御手段と、
前記記憶手段に記憶した更新通信設定情報を前記通信制御装置に送信する送信手段とから構成し、
前記通信制御装置は、
前記情報処理装置との通信接続を確立するために必要な初期通信設定情報を予め記憶する第２の記憶手段と、
前記情報処理装置からの更新通信設定情報を受信する受信手段と、
前記第２の記憶手段に記憶した初期通信設定情報を前記受信手段で受信した更新通信設定情報に置き換える第２の制御手段と
を具備したことを特徴とする情報処理システム。
【請求項１０】
情報処理装置との通信接続を確立するために必要な相手機器を制限しない初期通信設定情報を予め記憶する記憶手段と、
前記情報処理装置で設定された特定の相手機器との通信接続を確立するための更新通信設定情報を受信する受信手段と、
前記記憶手段に記憶した初期通信設定情報を前記受信手段で受信した更新通信設定情報に置き換える制御手段と
を具備したことを特徴とする通信制御装置。
【請求項１１】
情報処理装置と通信制御装置との通信接続を確立するために行われる通信設定情報の設定処理の起動指示に伴い前記情報処理装置との間で、記憶手段に予め記憶した相手機器を制限しない初期通信設定情報により通信を確立する手順と、
前記情報処理装置で設定された特定の相手機器との通信接続を確立するための更新通信設定情報を受信する受信手順と、
記憶手段に予め記憶した初期通信設定情報を前記受信手段で受信した更新通信設定情報に置き換える制御手順と
を具備したことを特徴とする通信制御装置における通信データ設定制御方法。
【請求項１２】
通信制御装置との通信接続を確立するために必要な相手機器を制限しない初期通信設定情報を予め記憶する記憶手段と、
通信設定情報の設定処理の起動指示を受け、前記記憶手段に記憶された初期通信設定情報に基づき前記通信制御装置との間で通信接続を確立する通信制御手段と、
特定の相手機器との通信接続を確立するための新たな通信設定情報を設定するための設定手段と、
前記記憶手段に記憶した初期通信設定情報を前記設定手段で設定した更新通信設定情報に置き換える制御手段と、
前記記憶手段に記憶した更新通信設定情報に基づき設定処理用の通信設定実行ファイルを作成する作成手段と
を具備したことを特徴とする情報処理装置。
【請求項１３】
通信制御装置との通信接続を確立するために必要な相手機器を制限しない初期通信設定情報を予め記憶する記憶手段と、
通信設定実行ファイルの起動指示を受け、通信設定実行ファイルに含まれた特定の相手機器との通信接続を確立するための更新通信設定情報を展開する展開手段と、
前記記憶手段に記憶した初期通信設定情報を前記展開手段で展開した更新通信設定情報に置き換える制御手段と
を具備したことを特徴とする情報処理装置。
【発明の詳細な説明】
【０００１】
【発明の属する技術分野】
本発明は、アクセスポイント等の通信制御装置とパーソナルコンピュータ等の情報処理装置との間で通信する際の通信設定情報の設定制御方法に関する。
【０００２】
【従来の技術】
パーソナルコンピュータ等の情報処理装置からインターネットにアクセスする形態として、無線ＬＡＮ（Ｌｏｃａｌ  Ａｒｅａ  Ｎｅｔｗｏｒｋ）を用いたものがある。この場合、情報処理装置には例えば、無線ＬＡＮカードや無線ＬＡＮボードを内蔵したものがある。一方、無線ＬＡＮや有線ＬＡＮを中継してインターネットに接続する機器としてアクセスポイントがある。これら、情報処理装置とアクセスポイントを無線ＬＡＮで接続するには、ユーザ名、パスワード、ＳＳＩＤ（Ｓｅｒｖｉｃｅ  Ｓｅｔ  ＩＤｅｎｔｉｆｉｃａｔｉｏｎ）やＷＥＰ（Ｗｉｒｅｄ  Ｅｑｕｉｖａｌｅｎｔ  Ｐｒｉｖａｃｙ）キー等を含む所定の設定処理を行わなければならない。ここで、ＳＳＩＤは、無線ＬＡＮのネットワークを識別するためのグループ名である。また、ＷＥＰは無線伝送するデータを暗号化して送受信する機能である。
【０００３】
また、アクセスポイントのファームウェアの更新を行う手法として、次に示す技術が知られている。特許文献１は、アクセスポイントのファームウェアを更新する際に、パソコンとアクセスポイントとをモジュラーケーブルで接続し、パソコンからアクセスポイントのメモリ情報・レジスタ情報を見たり、プログラムの書き換えを行う点の開示がある。
【０００４】
【特許文献１】
特開２００１−２８２５４５公報
【０００５】
【発明が解決しようとする課題】
しかしながら従来の状況では、情報処理装置を用いてアクセスポイントの設定処理を行う場合には、マニュアル等に記載されたユーザ名、パスワード、ＳＳＩＤ、ＷＥＰキー等を調べて、その値を所定の設定ソフトウェアを起動させて入力しなければならず、設定値の入力に時間が掛かったり、また設定値の入力を間違えてしまい無線ＬＡＮ接続できないと言った課題が生じている。
【０００６】
また、特許文献１に開示された内容では、パソコンからアクセスポイントのメモリやレジスタの情報を見て更新する等と言ったある程度の専門知識が無いと更新できない。
【０００７】
そこで、本発明の目的は、アクセスポイントと言った通信制御装置とパーソナルコンピュータと言った情報処理装置をＬＡＮ接続する際に必要な通信設定を利用者の負担を軽減し、かつ容易に設定可能な通信データ設定制御方法及び装置を提供することを目的とする。
【０００８】
【課題を解決するための手段】
本発明の情報処理装置は、通信制御装置との通信接続を確立するために必要な相手機器を制限しない初期通信設定情報を予め記憶する記憶手段と、通信設定情報の設定処理の起動指示を受け、前記記憶手段に記憶された初期通信設定情報に基づき前記通信制御装置との間で通信接続を確立する通信制御手段と、特定の相手機器との通信接続を確立するための新たな通信設定情報を設定する設定手段と、前記記憶手段に記憶した初期通信設定情報を前記設定手段で設定した更新通信設定情報に置き換える制御手段と、前記記憶手段に記憶した更新通信設定情報を前記通信制御装置に送信する送信手段とを具備したことを特徴とする。
【０００９】
このような構成とすることにより、煩わしい通信設定処理を簡便に且つ、正確に行うことが可能となる。
【００１０】
【発明の実施の形態】
以下、図面を参照して本発明の実施形態について説明する。
図１は、通信データ設定制御の処理を説明するための機能ブロック図である。図１において、情報処理装置１０は、パーソナルコンピュータ等の機器で構成される。情報処理装置１０は、以下に示す構成を有している。通信設定制御部１１は、通信データ設定制御に関する全般の制御を行うためのものである。通信設定情報記憶部１２は、ユーザ名、パスワード、ＳＳＩＤ、ＷＥＰキー等の通信設定に関する各種データを記憶するためのものである。通信制御部１３は、後述する通信制御装置３０との間で無線通信を行うためのものである。この通信制御部１３は、後付の無線ＬＡＮカードや、装置に予め内蔵された無線ＬＡＮボードで構成してもよい。また、通信制御部１３は、有線ＬＡＮに対応するものであってもよい。
【００１１】
入力制御部１４は、各種データの入力や設定操作を行う際に、入力デバイスとの間で各種データの入出力制御を行うものである。入力制御部１４に接続する入力デバイスとしては、キーボード１６やマウス１７がある。出力制御部１５は、各種データの出力を行う際に、出力デバイスとの間で各種データの入出力制御を行うものである。出力制御部１５に接続する出力デバイスとしては、各種データを表示するためのディスプレイ１８や、各種データを印刷出力するためのプリンタ１９がある。
【００１２】
通信設定ファイル作成部２０は、通信設定情報を他の情報処理装置でも使用できるようにするための通信設定実行ファイルを作成するものである。通信設定ファイル展開部２１は、別の情報処理装置で作成された通信設定実行ファイルを展開し、各種設定内容を通信設定情報記憶部１２へ書き込み制御するためのものである。
【００１３】
一方、通信制御装置３０は、無線ＬＡＮ（必要に応じて有線ＬＡＮを接続してもよい）により、複数の情報処理装置と各種データについて無線通信を行うことができる。これにより、情報処理装置１０から通信制御装置３０を介して外部のインターネット網４０へ接続することや、複数の情報処理装置間を接続してデータ通信を行うことが可能である。通信制御装置３０は、以下に示す構成を有している。通信設定制御部３１は、通信データ設定制御に関する全般の制御を行うためのものである。通信設定情報記憶部３２は、通信設定制御部３１を介して受信した情報処理装置１０で設定された通信設定情報を記憶するものである。通信制御部３３は、無線ＬＡＮ機能を持ち、情報処理装置１０との間での通信を制御すると共に、インターネット網４０への接続制御等を行うものである。
【００１４】
以下、図面を参照しながら通信データ設定制御の具体的な処理について説明する。利用者は、まず通信設定制御処理を行うための指示を行うことになる。図３は、通信設定制御処理を起動する様子を説明するための図である。図３（ａ）は、タスクバーから通信設定制御処理を起動するためのアイコンを指示した例を示す。情報処理装置１０のディスプレイ１８には、表示画面５３ａ上の下側部分にタスクバー５３ｂがあり、このタスクバー上に通信設定制御処理を起動するためのアイコン５３ｃが表示されている。このアイコン５３ｃをマウス１７の右ボタンでクリックすると接続機器一覧５３ｄ（機器名称の一覧）が表示される。この接続機器一覧が表示された状態で、マウス１７を操作することにより接続機器の選択カーソル５３ｅが上下に動く。マウスカーソル５３ｆを選択する接続機器の選択カーソル５３ｅに合わせた状態で、マウス１７の右ボタンをクリックすることで、接続機器を選択することができる。接続機器一覧５３ｄには、無線ＬＡＮ（又は有線ＬＡＮ）に接続可能な機器一覧が表示されており、利用者はこの中から通信設定したい機器を選択するだけの操作で、以降の通信制御装置３０や情報処理装置１０に対する通信設定制御処理が自動的に行われることになる。
【００１５】
また、図３（ｂ）は、通信設定制御処理プログラムを起動させることにより、機器選択する例を示す。図示しない通信設定制御処理プログラムを起動動作を行うと、機器選択画面５４ａが情報処理装置１０のディスプレイ１８に表示される。機器選択画面５４ａの中には、選択対象機器を選択するための機器名称を示すリストボックス５４ｂが用意されており、複数ある場合にはリストボックスを展開して、設定したい機器を選択する。選択した機器がリストボックス５４ｂの最上部に表示される。この状態で、利用者は機器選択を完了する場合にはＯＫボタン５４ｃを、また、設定をキャンセルする場合にはキャンセルボタン５４ｄに図示しないマウスカーソルを位置させマウス１７の左ボタンでクリックすることで接続機器を選択することができる。ＯＫボタン５４ｃが指示された場合には、図４に示す接続機器の確認画面の表示処理に移る。キャンセルボタン５４ｄが指示された場合には、通信設定制御の処理が終了する。ここでは、機器名称が「アクセスポイント１」と言う機器が選択された状態となっている。
【００１６】
上記のようにして通信設定したい接続機器の選択が終わると図４の画面が情報処理装置１０のディスプレイ１８に表示される。図４は、選択した接続機器の確認画面を示す図である。接続機器の確認画面５５ａには、選択した機器の名称が表示５５ｂされる。ここでは、「アクセスポイント１」と言う名称の機器が選択された状態である。この内容で良いか否かの確認用の、ＯＫボタン５５ｃとキャンセルボタン５５ｄがそれぞれ表示される。ＯＫボタン５５ｃが指示された場合には、図５に示す設定画面の表示処理に移る。キャンセルボタン５５ｄが指示された場合には、図３の機器選択画面の表示処理に戻る。
【００１７】
情報処理装置１０では、図５の設定画面に移行する前に、通信制御装置３０（ここでは、アクセスポイント１）との無線通信を初期設定データに基づいて行う。図２は、情報処理装置及び通信制御装置での通信設定データの内容を説明するための図である。図２（ａ）は、情報処理装置１０及び通信制御装置３０の通信設定情報として通信設定情報記憶部１２及び３２にそれぞれ記憶した初期設定データ５１ａ、５２ａの内容を示している。ここで初期設定データは、相手機器を制限しない内容となっている。利用者は、この初期設定データの内容を意識することなく、情報処理装置１０と通信制御装置３０との間で無線通信を行う。利用者によって、特定の相手機器との通信接続を確立するために通信設定処理が行われる。利用者によって通信設定情報の設定を行った後でも、通信設定情報を変更したい場合には、例えば図２（ｂ）に示す様な設定した通信設定情報に基づいて無線通信を行った上で、新たな通信設定情報に変更を行うことも可能である。
【００１８】
図５は、通信設定情報の設定画面について説明するための図である。この設定画面５６ａは情報処理装置１０のディスプレイ１８に表示される。図５（ａ）は、初期の設定画面の状態を示すものである。この場合、初期設定データは設定画面に表示させていない。２回目以降に通信設定情報を変更する場合には、この設定画面に既設定した通信設定情報の値を表示させるようにしてもよい。
【００１９】
設定画面５６ａには、ユーザ名を設定するための項目５６ｂ、パスワードを設定するための項目５６ｃ、ネットワーク名（ＳＳＩＤ）を設定するための項目５６ｄ、ネットワークキー（ＷＥＰ）を設定するための項目５６ｅがある。ユーザ名については、利用者がキーボード１６等を用いて文字入力する。また、パスワード、ネットワーク名、ネットワークキーの各項目については、利用者が同様にキーボードを用いて文字入力することができ、更に各項目に対応してランダムな文字列を発生させるためのランダム作成ボタン５６ｆ、５６ｇ、５６ｈがそれぞれ設けられている。このランダム作成ボタン５６ｆ、５６ｇ、５６ｈをマウス１７でクリックする度に、各項目対応した長さのランダムな文字列が生成される。更に、設定画面５６ａには、次の設定画面に進むための次へボタン５６ｉや、通信設定制御の処理を終了するためのキャンセルボタン５６ｊも配置されている。
【００２０】
図５（ｂ）は、利用者によってユーザ名、パスワード、ネットワーク名、ネットワークキーの各値を設定し終えた際の設定画面の様子を示している。ここで、次へボタン５６ｉをマウス１７でクリックすると図６の確認画面に移行する。キャンセルボタン５６ｈがクリックされた場合には、通信設定制御の処理を終了する。図５では、パスワード、ネットワーク名、ネットワークキーの各値をキーボードによる文字入力により設定する場合と、ランダムな値を発生させて設定する場合について説明したが、他の方法として、次に挙げる方法もある。情報処理装置１０は、設定画面を用いて通信設定情報を設定する前に通信制御装置との間で予め記憶した初期データである通信設定情報に基づき通信が確立されており、この通信制御装置の通信デバイスのＲＯＭに格納されたＭＡＣ（Ｍｅｄｉａ  Ａｃｃｅｓｓ  Ｃｏｎｔｒｏｌ）アドレス（ユニークな物理アドレス）を通信設定情報として設定画面に表示させるようにしてもよい。
【００２１】
また、ＳＳＩＤは、英数字で最大３２文字まで設定できる。また、ＷＥＰキーは鍵の長さに応じて５から１３文字まで設定できる。
図６は、通信設定情報の確認画面及び実行指示画面について説明するための図である。図６（ａ）に示す確認画面５７ａは、情報処理装置１０のディスプレイ１８に表示される。確認画面５７ａには、利用者によって設定されたユーザ名、パスワード、ネットワーク名、ネットワークキーの各値を示す項目５７ｂ、５７ｃ、５７ｄ、５７ｅがある。そして、設定内容の印刷を指定するための項目５７ｆや、他の情報処理装置に対して通信設定を行うために必要な通信設定情報を含む通信設定実行ファイル（画面ではトークンと称している）を作成するための項目５７ｇ、設定した内容を変更したい場合に指示するための戻るボタン５７ｈ、設定を進めるための次へボタン５７ｉ、通信設定制御の処理を終了させるためのキャンセルボタン５７ｊもある。利用者は、この確認画面５７ａを見て、設定した通信設定情報の内容を確認すると共に、必要に応じて設定内容の印刷指示や、通信設定実行ファイルの作成指示を行うことができる。
【００２２】
図６（ａ）の状態で次へボタン５７ｉが指示されると、図６（ｂ）に示す実行指示画面５８ａが情報処理装置１０のディスプレイ１８に表示される。この画面は前記図６（ａ）に示す通信設定情報を通信制御装置３０及び情報処理装置１０に対して設定する処理の実行を指示するための他、必要に応じて設定内容の印刷や、通信設定実行ファイルの作成の実行を指示するためのものである。実行指示画面５８ａには、確認メッセージと共に、実行ボタン５８ｂと、通信設定制御の処理を終了させるためのキャンセルボタン５８ｃが配置されている。
【００２３】
図７は、設定内容の印刷及び通信設定実行ファイルについて説明するための図である。図７（ａ）は、設定内容の印刷結果を示すものである。図６（ａ）において、設定内容の印刷指示のチェックが行われた場合に、通信設定制御部は、通信設定情報記憶部１２に記憶された通信設定情報に基づき、印刷用データに構成して出力制御部１５に出力する。出力制御部１５を介して印刷用データは、プリンタ１９に送られて、図７（ａ）に示す設定内容の印刷５９ａが行われる。
【００２４】
また、図７（ｂ）は、通信設定実行ファイルを説明するためのものである。通信設定ファイル作成部２０は、通信設定情報記憶部１２に記憶された通信設定情報に基づき、通信設定実行ファイルを作成する。ここでは、「ａｐ−ｉｎｆｏ１．ｅｘｅ」と言うファイル名の通信設定実行ファイルが作成されたことを示す。ここで作成された通信設定実行ファイルを例えば、電子メール等で同じネットワークグループとして利用したい他の情報処理装置へ送る。受信した情報処理装置で実行ファイルを指定して展開指示すると、通信設定ファイル展開部２１によって実行ファイルが起動され、通信設定に必要な情報が通信設定情報記憶部１２に記憶されることになる。通信設定実行ファイルの展開等に関する処理の詳細については、後述する。
【００２５】
次に、通信設定制御の処理動作について図８を用いて説明する。図８は、通信設定制御の処理動作を示すフローチャートである。通信設定制御部１１は、図３（ａ）又は（ｂ）に示すような手順で利用者によって通信設定制御処理を起動されたかを確認し（ステップＳ１０）、起動の割込みに応じて通信設定を行う旨の指示があればステップＳ１１へ進み、そうでなければ確認動作に戻る。
【００２６】
通信設定制御部１１は、図３（ａ）（ｂ）に示す手順により利用者によって選択された機器を特定し（ステップＳ１１）、選択機器の確認が取れたかを判別する（ステップＳ１２）。例えば、図３（ｂ）の機器選択画面５４ａのＯＫボタン５４ｃがマウス１７でクリック指示された場合には、ステップＳ１３へ進む。ＯＫボタン５４ｃが指示されていない状態では、機器の選択処理になる。
【００２７】
次に、機器の選択が行われると、通信設定制御部１１は、図４に示す接続機器の確認画面５５ａを出力制御部１５を介してディスプレイ１８に表示する（ステップＳ１３）。確認画面５５ａに対する指示の確認を行う（ステップＳ１４）。ここで、ＯＫボタン５５ｃが指示された場合にはステップＳ１５へ進み、キャンセルボタン５５ｄが指示された場合には、図３の機器選択処理に戻る。
【００２８】
続いて、通信設定制御部１１は、図２に示す通信設定情報の内容で通信制御装置３０との接続を行う（ステップＳ１５）。初期設定する場合には図２（ａ）に示す内容で接続が行われ、再設定を行う場合には図２（ｂ）に示す内容で接続が行われる。続いて、通信設定制御部１１は、図５に示す設定画面５６ａを出力制御部１５を介してディスプレイ１８に表示する（ステップＳ１６）。本実施形態では、初期設定する場合には、ユーザ名、パスワード、ネットワーク名、ネットワークキーの各項目５６ｂ、５６ｃ、５６ｄ、５６ｅには初期データは表示されない。一方、再設定を行う場合には、前回設定した内容を表示するようにしている。該設定画面５６ａにおいて、利用者により各値がキーボード１６を用いて文字入力されるか、ランダム作成ボタン５６ｆ、５６ｇ、５６ｈを用いて値が設定することが可能である（ステップＳ１７）。次に、通信設定制御部１１は、設定画面５６ａのＯＫボタン５６ｉ／キャンセルボタン５６ｊの指示状況の判別を行う（ステップＳ１８）。ＯＫボタン５６ｉが指示されたと判断した場合にはステップＳ１９の処理に進み、キャンセルボタン５６ｊが指示されたと判断した場合には通信設定制御処理を終える。
【００２９】
次に、通信設定制御部１１は、図６（ａ）に示す設定内容の確認画面５７ａを出力制御部１５を介してディスプレイ１８に表示する（ステップＳ１９）。この確認画面５７ａにおいて、利用者は必要に応じて、設定内容の印刷項目５７ｆや、通信設定実行ファイルの作成項目５７ｇに対して、マウス１７を用いてチェックを行う（ステップＳ２０）。通信設定制御部１１は、設定画面５７ａのボタン５７ｈ、５７ｉ、５７ｊの指示状況の判別を行う（ステップＳ２１）。次へボタン５７ｈが指示されたと判断した場合にはステップＳ２２の処理に進み、戻るボタン５５ｉが指示されたと判断した場合にはステップＳ１６の設定画面５６ａ（図５）に戻り、キャンセルボタン５７ｊが指示されたと判断した場合には通信設定制御処理を終える。
【００３０】
通信設定制御部１１は、図６（ａ）の次へボタン５７ｈが指示されたと判断した場合には、設定内容の印刷及び通信設定実行ファイルの作成の設定内容を通信設定情報記憶部１２へ記憶する（ステップＳ２２）。次に、通信設定制御部１１は、図６（ｂ）に示す実行指示画面５８ａを出力制御部１５を介してディスプレイ１８に表示する（ステップＳ２３）。そして、通信設定制御部１１は、実行指示画面５８ａのボタン５８ｂ、５８ｃの指示状況の判別を行う（ステップＳ２４）。実行ボタン５８ｂが指示されたと判断した場合にはステップＳ２５の処理へ進み、キャンセルボタン５８ｃが指示されたと判断した場合には通信設定制御を終える。
【００３１】
通信設定制御部１１は、図６（ｂ）の実行ボタン５８ｂが指示されたと判断した場合には、通信設定情報を通信設定情報記憶部１２へ記憶する（ステップＳ２５）。続いて、通信設定制御部１１は、新たに設定した通信設定情報を通信制御部１３を介して設定対象機器である通信制御装置３０へ送信する。一方、通信制御装置３０では、通信設定制御部３１の制御の元、情報処理装置１０から通信制御部３３を介して受信した通信設定情報を通信設定情報記憶部３２へ記憶する。この様に、利用者により設定処理した通信設定情報が通信制御装置３０及び情報処理装置１０に更新記憶される。以後は、この更新した通信設定情報に基づいて無線通信が行われる。
【００３２】
更に、通信設定制御部１１は、図６（ａ）に示す設定内容の印刷及び通信設定実行ファイルの作成のチェック状態を確認する（ステップＳ２７）。そして、通信設定制御部１１は、設定内容の印刷チェックがあった場合には、通信設定情報記憶部１２に記憶された内容に基づいた設定内容確認用のイメージを生成し、出力制御部１５を介してプリンタ１９から印刷を行う。印刷結果は、図７（ａ）の様なものになる。また、通信設定実行ファイルの作成チェックがあった場合には、通信設定情報記憶部１２に記憶された内容に基づいて通信設定実行ファイルを生成する。作成した実行ファイルは、図示しないファイル保存の手続きにより、図示しないＨＤＤ等の記憶装置に保存する。利用者は、この保存された実行ファイルを必要に応じて、電子メールを用いて他の情報処理装置に送付することも可能である。なお、実行ファイルの作成の後に、自動的に電子メール用のアプリケーションプログラムを立ち上げて、利用者が送信先を設定して他の情報処理装置へ送付するようにしてもよい。以上のように、利用者は通信設定情報の設定指示を行うだけで、通信制御装置３０及び情報処理装置１０の通信設定情報が自動的に行われるので、利用者の作業負担の軽減及び設定値の誤入力による接続不備に陥ることも無くなる。
【００３３】
次に、受信した通信設定実行ファイルを用いて情報処理装置１０の通信設定情報を設定する第２の実施形態について説明する。ここでは、図７（ｂ）に示すファイル名が付与された通信設定実行ファイルを他の情報処理装置から電子メール等で受信し、ＨＤＤ等の記憶装置に記憶された状態を想定する。なお、通信設定実行ファイルは、電子メール等の通信媒体を介さずとも可搬性のある記憶媒体に記憶したものをファイル保存するようにしてもよい。
【００３４】
図９は、通信設定実行ファイルを展開する際の画面表示について説明するものである。また、図１０は、通信設定実行ファイルの展開処理を示すフローチャートである。なお、情報処理装置の機能構成は図１に示したものと同様のものであるので、機器構成の説明は省略する。利用者は、図示しないファイル一覧を表示させて展開したい実行ファイルをマウス１７でダブルクリックする。すると、通信設定実行ファイルの実行が行われ、通信設定情報の展開処理が行われる。通信設定制御部１１は、実行ファイルの実行指示が行われ展開処理になったかを情報処理装置１０のＯＳからの指示有無を確認している（ステップＳ３０）。ＯＳから実行ファイルの展開処理となったことを確認すると処理はステップＳ３１に進む。続いて、通信設定制御部１１は、実行ファイルに含まれる通信設定情報の展開処理を行う（ステップＳ３１）。ここで展開した内容は、一時的な保存データとして扱う。
【００３５】
通信設定制御部１１は、正当な利用者であるかの認証を行うためにパスワード入力画面を出力制御部１５を介してディスプレイ１８に表示させる（ステップ３２）。図９（ａ）に、パスワード入力画面６０ａの一例を示す。パスワード入力画面６０ａには、パスワード入力項目６０ｂ及び、パスワード入力が終了したことを示すＯＫボタン６０ｃ、パスワード入力を終了することを示すキャンセルボタン６０ｄが配置されている。利用者は、パスワード入力項目６０ｂにキーボード１６を用いて任意に設定されているパスワードを入力する（ステップＳ３３）。パスワードは予め通信設定実行ファイルを配布した利用者から別な方法にて取得しておく。
【００３６】
通信設定制御部１１は、利用者が入力したパスワードが正しいものであるかを、先に展開した実行ファイルのパスワード情報と比較する（ステップＳ３４）。装置に記憶したパスワードとの照合が３回不一致となった（ステップＳ４１）場合には、エラーメッセージ画面を表示（ステップＳ４２）して通信設定情報の展開処理を中止する。エラーメッセージ画面は図９（ｃ）に示す。一方、利用者が入力したパスワードと、展開したパスワードとが一致した場合には、通信設定制御部１１は、展開した通信設定情報に基づいて、確認用の画面６１ａ（図９（ｂ））を出力制御部１５を介してディスプレイ１８に表示する（ステップＳ３５）。確認要画面６１ａには、展開したユーザ名、パスワード、ネットワーク名、ネットワークキーの各値を表示する項目６１ｄ、６１ｃ、６１ｄ、６１ｅを有すると共に、設定内容の印刷有無を指定するためのチェック項目６１ｆ及び、展開内容を新たな設定情報として記憶するためのＯＫボタン６１ｇ、展開処理を中止するためのキャンセルボタン６１ｈが配置されている。
【００３７】
続いて、ＯＫボタン６１ｄが指示されたか否かを判別する（ステップＳ３６）。ＯＫボタン６１ｄが指示されたと判断した場合には処理はステップＳ３７へ進み、キャンセルボタン６１ｈが指示されたと判断した場合には展開処理を中止する。ＯＫボタン６１ｇが指示された場合には、展開した通信設定情報を通信設定情報記憶部１２に記憶し（ステップＳ３７）、印刷設定内容も記憶する（ステップＳ３８）。
【００３８】
印刷設定がチェックされているか否かを判別する（ステップＳ３９）。ここで、印刷設定が行われている場合には、その通信設定情報を出力制御部１５を介してプリンタ１９にて印刷し（ステップＳ４０）た後に展開処理を終え、印刷設定が無い場合にはそのまま展開処理を終える。
【００３９】
このように、第２の実施形態では、他の利用者より配布された通信設定情報を含む通信設定実行ファイルを展開処理することにより、通信設定用のソフトウェアを起動しなくても容易に通信設定情報を設定でき、また誤入力による接続不備に陥ることも無くなる。
【００４０】
【発明の効果】
以上説明したように本発明によれば、通信設定装置及び情報処理装置に対する通信接続する際の通信設定情報を容易に設定できると共に、利用者の誤入力による接続不備に陥ることも防ぐことが可能である。
【図面の簡単な説明】
【図１】図１は、通信データ設定制御の処理を説明するための機能ブロック図である。
【図２】図２は、情報処理装置及び通信制御装置での通信設定データの内容を説明するための図である。
【図３】図３は、通信設定制御処理を起動する様子を説明するための図である。
【図４】図４は、選択した接続機器の確認画面を示す図である。
【図５】図５は、通信設定情報の設定画面について説明するための図である。
【図６】図６は、通信設定情報の確認画面及び実行指示画面について説明するための図である。
【図７】図７は、設定内容の印刷及び通信設定実行ファイルについて説明するための図である。
【図８】図８は、通信設定制御の処理動作を示すフローチャートである。
【図９】図９は、通信設定実行ファイルを展開する際の画面表示について説明するものである。
【図１０】図１０は、通信設定実行ファイルの展開処理を示すフローチャートである。
【符号の説明】
１０  情報処理装置
１１  通信設定制御部
１２  通信設定情報記憶部
１３  通信制御部
１４  入力制御部
１５  出力制御部
１６  キーボード
１７  マウス
１８  ディスプレイ
１９  プリンタ
２０  通信設定ファイル作成部
２１  通信設定ファイル展開部
３０  通信制御装置
３１  通信設定制御部
３２  通信設定情報記憶部
３３  通信制御部
４０  インターネット網
【図１】
2004234286.tif 000003
【図２】
2004234286.tif 000004
【図３】
2004234286.tif 000005
【図４】
2004234286.tif 000006
【図５】
2004234286.tif 000007
【図６】
2004234286.tif 000008
【図７】
2004234286.tif 000009
【図８】
2004234286.tif 000010
【図９】
2004234286.tif 000011
【図１０】
2004234286.tif 000012